(57)【要約】【課題】  光ＣＤＭＡによる光通信において光符号器または光相関器として用いられ低コスト化や符号の有効利用が可能な光信号処理装置等を提供する。【解決手段】  光信号処理装置４０は、光分岐器４１、光合波器４２、光導波路４３１〜４３Ｎ、光遅延器４４１〜４４Ｎを含む光遅延付与部４４、および、光スイッチ４５１〜４５Ｎを含む光スイッチ部４５、を備え、光ＣＤＭＡによる光通信システムにおいて光符号器または光相関器として用いられる。光符号器としての光信号処理装置における遅延時間Ｄe(1)〜Ｄe(N)、および、光相関器としての光信号処理装置における遅延時間Ｄc(1)〜Ｄc(N)について、「Ｄe(n)＋Ｄc(n)＝Ｄe(n+1)＋Ｄc(n+1)」なる関係を有するとともに、光符号器における隣接遅延時間差「Ｄe(n+1)−Ｄe(n)」が互いに異なり、光相関器における隣接遅延時間差「Ｄc(n+1)−Ｄc(n)」が互いに異なる。【選択図】  図２
2007116253.tif 000002
【特許請求の範囲】
【請求項１】
入力された光パルスに対し、遅延時間Ｄ(1)〜Ｄ(N)（ただし、Ｎは３以上の整数）のうちの何れか１つまたは複数の遅延時間を付与し、その遅延時間を付与した各光パルスを合波して出力する光信号処理装置であって、
前記遅延時間Ｄ(1)〜Ｄ(N)が昇順または降順であり、１以上(Ｎ−１)以下の整数をｎとしたとき、隣接遅延時間差「Ｄ(n+1)−Ｄ(n)」が互いに異なる、
ことを特徴とする光信号処理装置。
【請求項２】
前記隣接遅延時間差「Ｄ(n+1)−Ｄ(n)」が単位時間の整数倍であることを特徴とする請求項１記載の光信号処理装置。
【請求項３】
入力された光パルスをＮ分岐してＮ本の光導波路へ出力する光分岐器と、
前記光分岐器から前記Ｎ本の光導波路それぞれを経て到達した各光パルスを合波して出力する光合波器と、
前記光分岐器から前記光合波器までの前記Ｎ本の光導波路のうちの第ｎの光導波路について遅延時間Ｄ(n)を付与する光遅延付与部と、
前記Ｎ本の光導波路のうちの何れか１つまたは複数の光導波路については光パルスを導波させ、他の光導波路については光パルスを遮断する光スイッチ部と、
を備えることを特徴とする請求項１記載の光信号処理装置。
【請求項４】
前記光分岐器，前記光合波器，前記Ｎ本の光導波路，前記光遅延付与部および前記光スイッチ部が共通の基板に形成されていることを特徴とする請求項３記載の光信号処理装置。
【請求項５】
ユニポーラ符号を用いた光ＣＤＭＡにより光通信を行うシステムであって、
請求項１〜４の何れか１項に記載の光信号処理装置を光符号器として備えるとともに、請求項１〜４の何れか１項に記載の光信号処理装置を光相関器として備え、
前記光符号器としての前記光信号処理装置における前記遅延時間Ｄ(1)〜Ｄ(N)をＤe(1)〜Ｄe(N)とし、前記光相関器としての前記光信号処理装置における前記遅延時間Ｄ(1)〜Ｄ(N)をＤc(1)〜Ｄc(N)としたときに、「Ｄe(n)＋Ｄc(n)＝Ｄe(n+1)＋Ｄc(n+1)」なる関係を有する、
ことを特徴とする光通信システム。
【請求項６】
ユニポーラ符号を用いた光ＣＤＭＡにより光通信を行う方法であって、
請求項１〜４の何れか１項に記載の光信号処理装置を光符号器として用いるとともに、請求項１〜４の何れか１項に記載の光信号処理装置を光相関器として用い、
前記光符号器としての前記光信号処理装置における前記遅延時間Ｄ(1)〜Ｄ(N)をＤe(1)〜Ｄe(N)とし、前記光相関器としての前記光信号処理装置における前記遅延時間Ｄ(1)〜Ｄ(N)をＤc(1)〜Ｄc(N)としたときに、「Ｄe(n)＋Ｄc(n)＝Ｄe(n+1)＋Ｄc(n+1)」なる関係を有する、
ことを特徴とする光通信方法。
【発明の詳細な説明】
【技術分野】
【０００１】
本発明は、光ＣＤＭＡによる光通信において光符号器または光相関器として好適に用いられ得る光信号処理装置、ならびに、この光信号処理装置を用いた光通信システムおよび光通信方法に関するものである。
【背景技術】
【０００２】
符号分割多重接続（Code DivisionMultiple Access、以下「ＣＤＭＡ」という。）は、携帯電話その他の通信に使われる符号化方式の一つである。ＣＤＭＡでは、送信側において、複数の送信信号それぞれに異なる符号を乗算（符号化）して送出する。そして、受信側においては、受け取るべき信号に乗算された符号と同一の符号を受信信号に乗算することにより、その受け取るべき信号のみを取り出す（復号化）。ＣＤＭＡは光通信分野でも応用されており、例えば特許文献１や特許文献２には光ＣＤＭＡに関する発明が開示されている。
【０００３】
光ＣＤＭＡにより光通信を行うシステムでは、送信側に光符号器が設けられ、受信側に光相関器が設けられる。送信側の光符号器および受信側の光相関器は、互いに同等の構成を有する光信号処理装置からなる。光符号器または光相関器として用いられる光信号処理装置は、入力された光パルスに対し、遅延時間Ｄ(1)〜Ｄ(N)（ただし、Ｎは３以上の整数）のうちの何れか１つまたは複数の遅延時間を付与し、その遅延時間を付与した各光パルスを合波して出力する。
【特許文献１】特開平４−３４７９４５号公報
【特許文献２】特許第２８１３７７４号公報
【発明の開示】
【発明が解決しようとする課題】
【０００４】
特許文献１や特許文献２に開示されたものを含め従来の光ＣＤＭＡでは、受信側において光相関器から出力される光パルスに対して高速ゲート処理をする必要がある。このことから、従来の光ＣＤＭＡにより光通信を行うシステムは、高価なものとなり、また、符号を有効に利用できない場合がある。
【０００５】
本発明は、上記問題点を解消する為になされたものであり、光ＣＤＭＡによる光通信において光符号器または光相関器として用いられ低コスト化や符号の有効利用が可能な光信号処理装置、ならびに、この光信号処理装置を用いた光通信システムおよび光通信方法を提供することを目的とする。
【課題を解決するための手段】
【０００６】
本発明に係る光信号処理装置は、入力された光パルスに対し、遅延時間Ｄ(1)〜Ｄ(N)（ただし、Ｎは３以上の整数）のうちの何れか１つまたは複数の遅延時間を付与し、その遅延時間を付与した各光パルスを合波して出力する光信号処理装置であって、遅延時間Ｄ(1)〜Ｄ(N)が昇順または降順であり、１以上(Ｎ−１)以下の整数をｎとしたとき、隣接遅延時間差「Ｄ(n+1)−Ｄ(n)」が互いに異なることを特徴とする。ここで、隣接遅延時間差「Ｄ(n+1)−Ｄ(n)」が単位時間の整数倍であるのが好適である。
【０００７】
本発明に係る光信号処理装置は、(1) 入力された光パルスをＮ分岐してＮ本の光導波路へ出力する光分岐器と、(2) 光分岐器からＮ本の光導波路それぞれを経て到達した各光パルスを合波して出力する光合波器と、(3) 光分岐器から光合波器までのＮ本の光導波路のうちの第ｎの光導波路について遅延時間Ｄ(n)を付与する光遅延付与部と、(4) Ｎ本の光導波路のうちの何れか１つまたは複数の光導波路については光パルスを導波させ、他の光導波路については光パルスを遮断する光スイッチ部と、を備えるのが好適である。また、光分岐器，光合波器，Ｎ本の光導波路，光遅延付与部および光スイッチ部が共通の基板に形成されているのが好適である。
【０００８】
本発明に係る光通信システムは、ユニポーラ符号を用いた光ＣＤＭＡにより光通信を行うシステムであって、上記の本発明に係る光信号処理装置を光符号器として備えるとともに、上記の本発明に係る光信号処理装置を光相関器として備え、光符号器としての光信号処理装置における遅延時間Ｄ(1)〜Ｄ(N)をＤe(1)〜Ｄe(N)とし、光相関器としての光信号処理装置における遅延時間Ｄ(1)〜Ｄ(N)をＤc(1)〜Ｄc(N)としたときに、「Ｄe(n)＋Ｄc(n)＝Ｄe(n+1)＋Ｄc(n+1)」なる関係を有することを特徴とする。
【０００９】
本発明に係る光通信方法は、ユニポーラ符号を用いた光ＣＤＭＡにより光通信を行う方法であって、上記の本発明に係る光信号処理装置を光符号器として用いるとともに、上記の本発明に係る光信号処理装置を光相関器として用い、光符号器としての光信号処理装置における遅延時間Ｄ(1)〜Ｄ(N)をＤe(1)〜Ｄe(N)とし、光相関器としての光信号処理装置における遅延時間Ｄ(1)〜Ｄ(N)をＤc(1)〜Ｄc(N)としたときに、「Ｄe(n)＋Ｄc(n)＝Ｄe(n+1)＋Ｄc(n+1)」なる関係を有することを特徴とする。
【発明の効果】
【００１０】
本発明によれば、システムの低コスト化や符号の有効利用が可能となる。
【発明を実施するための最良の形態】
【００１１】
以下、添付図面を参照して、本発明を実施するための最良の形態を詳細に説明する。なお、図面の説明において同一の要素には同一の符号を付し、重複する説明を省略する。また、以下では、光ＣＤＭＡによる光通信システムの概略構成を説明し、比較例の光ＣＤＭＡ方式について説明した後に、本実施形態に係る光ＣＤＭＡ方式について説明する。
【００１２】
図１は、光ＣＤＭＡによる光通信システム１の概略構成を示す図である。この図に示される光通信システム１は、ユニポーラ符号を用いた光ＣＤＭＡにより光通信を行うシステムであって、光送信部１０，光受信部２０および光ファイバ伝送路３０を備える。光送信部１０は、光符号器１１および信号光源１２を含む。また、光受信部２０は、光相関器２１および受光器２２を含む。
【００１３】
光送信部１０に含まれる信号光源１２は、送信すべき信号を光パルス列として出力する。光符号器１１は、信号光源１２から出力された光パルスを入力し、この入力した光パルスに対し遅延時間Ｄ(1)〜Ｄ(N)のうちの何れか１つまたは複数の遅延時間を付与して、その遅延時間を付与した各光パルスを合波して光ファイバ伝送路３０へ送出する。ただし、Ｎは３以上の整数である。
【００１４】
光受信部２０に含まれる光相関器２１は、光ファイバ伝送路３０を経て到達した光パルスを入力し、この入力した光パルスに対し遅延時間Ｄ(1)〜Ｄ(N)のうちの何れか１つまたは複数の遅延時間を付与して、その遅延時間を付与した各光パルスを合波して光ファイバ伝送路３０へ送出する。受光器２２は、光相関器２１から出力された光パルスを入力し受光する。
【００１５】
光符号器１１および光相関器２１は、互いに同等の構成を有する光信号処理装置からなる。図２は、光符号器１１または光相関器２１として用いられる光信号処理装置４０の構成図である。この図に示されるように、光信号処理装置４０は、光分岐器４１、光合波器４２、光導波路４３１〜４３Ｎ、光遅延器４４１〜４４Ｎを含む光遅延付与部４４、および、光スイッチ４５１〜４５Ｎを含む光スイッチ部４５、を備える。なお、図２ではＮ値を４としている。
【００１６】
光分岐器４１は、入力された光パルスをＮ分岐してＮ本の光導波路４３１〜４３Ｎへ出力する。光合波器４２は、光分岐器４１からＮ本の光導波路４３１〜４３Ｎそれぞれを経て到達した各光パルスを合波して出力する。光導波路４３１〜４３Ｎそれぞれは、光分岐器４１から光合波器４２へ光パルスを導波する。
【００１７】
Ｎ本の光導波路４３１〜４３Ｎのうちの第ｎの光導波路４３ｎの光路上に、光遅延器４４ｎおよび光スイッチ４５ｎが設けられている。光遅延器４４ｎは、光分岐器４１から光合波器４２までの第ｎの光導波路４３ｎについて遅延時間Ｄ(n)を付与する。光遅延器４４ｎは、光導波路４３ｎの光路長を適切なものとすることによっても実現可能である。
【００１８】
光スイッチ４５ｎは、光分岐器４１から光合波器４２までの第ｎの光導波路４３ｎについて光パルスの導波および遮断の何れか一方を選択する。すなわち、光スイッチ４５１〜４５Ｎを含む光スイッチ部４５は、Ｎ本の光導波路４３１〜４３Ｎのうちの何れか１つまたは複数の光導波路については光パルスを導波させ、他の光導波路については光パルスを遮断する。
【００１９】
好適には、光分岐器４１，光合波器４２，Ｎ本の光導波路４３１〜４３Ｎ，光遅延付与部４４および光スイッチ部４５は、共通の基板に形成されて集積化されている。図３は、光符号器１１または光相関器２１として用いられる光信号処理装置４０の集積化の一例を示す図である。なお、この図３でもＮ値を４としている。光遅延付与部４４は、光導波路４３１〜４３Ｎそれぞれの光路長を適切なものとすることによって実現されている。
【００２０】
光導波路４６は、光信号処理装置４０の入射端から光分岐器４１へ光パルスを導波する。また、光導波路４７は、光合波器４２から光信号処理装置４０の出射端へ光パルスを導波する。光分岐器４１，光合波器４２，Ｎ本の光導波路４３１〜４３Ｎ（光遅延付与部４４）および光スイッチ部４５とともに、これら光導波路４６および光導波路４７も基板４８に形成されている。例えば、基板４８は化合物半導体基板であり、光スイッチ４５１〜４５ＮそれぞれはＳＯＡスイッチである。
【００２１】
以降では、比較例の光ＣＤＭＡ方式と対比して、本実施形態に係る光ＣＤＭＡ方式について説明する。また、以降では、図面上の表示だけでなく、明細書中での説明においても、Ｎ値を４とする。また、４個の光スイッチ４５１〜４５４のうち、何れか２個の光スイッチがＯＮ（光パルスを通過させる）となり、他の２個の光スイッチがＯＦＦ（光パルスを遮断する）となるとする。
【００２２】
次に、比較例の光ＣＤＭＡ方式について説明する。比較例の光ＣＤＭＡ方式では、光符号器１１または光相関器２１としての光信号処理装置４０において、遅延時間Ｄ(1)〜Ｄ(4)が昇順または降順であり、１以上３以下の整数をｎとしたとき、隣接遅延時間差「Ｄ(n+1)−Ｄ(n)」が一定値である。例えば、光符号器１１および光相関器２１それぞれにおける遅延時間Ｄ(1)〜Ｄ(4)は、下記(1)式のように表される。ここで、Ｔは単位時間であり、ｔ０は一定値である。
【００２３】
【数１】
2007116253.tif 000003
【００２４】
図４は、比較例の光ＣＤＭＡ方式における光符号器１１の動作について説明する図である。また、図５は、比較例の光ＣＤＭＡ方式における光相関器２１の動作について説明する図である。これらの図には、４本の光導波路４３１〜４３４それぞれを導波して光合波器４２に到達する光パルスのタイミング、および、光合波器４２から出力される光パルスのタイミング、が示されている。また、ここでは、光符号器１１および光相関器２１それぞれにおいて、４個の光スイッチ４５１〜４５４のうち、２個の光スイッチ４５１，４５２がＯＮとなり、他の２個の光スイッチ４５３，４５４がＯＦＦとなっている。つまり、相関符号が［１１００］となっている。
【００２５】
図４に示されるように、光符号器１１では、光分岐器４１に入力した光パルスが４分岐され、その４分岐された光パルスのうち、光導波路４３１を導波する光パルスは遅延時間Ｄ(1)を与えられて光合波器４２に到達し、また、光導波路４３２を導波する光パルスは遅延時間Ｄ(2)を与えられて光合波器４２に到達するが、他の２つの光パルスは光スイッチ４５３，４５４により遮断され光合波器４２に到達しない。したがって、光符号器１１の光合波器４２からは、遅延時間Ｄ(1)を与えられた光パルス、および、遅延時間Ｄ(2)を与えられた光パルス、が出力される。そして、光符号器１１の光合波器４２から出力されたこれらの光パルスは、光ファイバ伝送路３０により伝送された後、光相関器２１の光分岐器４１に入力される。
【００２６】
図５に示されるように、光相関器２１では、光分岐器４１に入力した２つの光パルスそれぞれが４分岐され、その４分岐された光パルスのうち、光導波路４３１を導波する各光パルスは遅延時間Ｄ(1)を与えられて光合波器４２に到達し、また、光導波路４３２を導波する各光パルスは遅延時間Ｄ(2)を与えられて光合波器４２に到達するが、他の２つの光パルスは光スイッチ４５３，４５４により遮断され光合波器４２に到達しない。したがって、光相関器２１の光合波器４２からは、遅延時間２Ｄ(1)を与えられた光パルス、遅延時間２Ｄ(2)を与えられた光パルス、および、遅延時間Ｄ(1)＋Ｄ(2)を与えられた光パルス、が出力される。
【００２７】
光相関器２１の光合波器４２から出力される光パルスのうち、遅延時間Ｄ(1)＋Ｄ(2)を与えられた光パルスは、光符号器１１において遅延時間Ｄ(1)を与えられ更に光相関器２１において遅延時間Ｄ(2)を与えられた光パルスと、光符号器１１において遅延時間Ｄ(2)を与えられ更に光相関器２１において遅延時間Ｄ(1)を与えられた光パルスと、が重畳されたものであり、他の２つの光パルスよりパワーが大きい。そこで、光受信部２０では、このパワーが大きい光パルスを識別することで、自己が受け取るべき信号のみを取り出すことができる。
【００２８】
図６は、比較例の光ＣＤＭＡ方式における光相関器２１の他の動作について説明する図である。この図には、光相関器２１の光合波器４２から出力される光パルスのタイミングが示されている。ここでは、光符号器１１において、４個の光スイッチ４５１〜４５４のうち、２個の光スイッチ４５１，４５２がＯＮとなり、他の２個の光スイッチ４５３，４５４がＯＦＦとなっている。つまり、上記と同様に、光符号器１１における相関符号が［１１００］となっている。一方、光相関器２１における相関符号については、［１１００］，［１０１０］，［１００１］，［０１１０］，［０１０１］，［００１１］それぞれとした。
【００２９】
この図に示されるように、比較例の光ＣＤＭＡ方式では、光符号器１１における相関符号が［１１００］となっている場合において、光相関器２１における相関符号が同じ［１１００］となっているときだけでなく、光相関器２１における相関符号が別の［０１１０］または［００１１］となっているときにも、光相関器２１の光合波器４２から出力される光パルスのうち１つのパルスは、他の２つの光パルスよりパワーが大きい。そこで、光受信部２０では、これら３つの場合を峻別するために、光相関器２１から出力される光パルスに対して高速ゲート処理をする必要がある。
【００３０】
次に、本実施形態に係る光ＣＤＭＡ方式について説明する。本実施形態に係る光ＣＤＭＡ方式では、光符号器１１または光相関器２１としての光信号処理装置４０において、遅延時間Ｄ(1)〜Ｄ(4)が昇順または降順であり、１以上３以下の整数をｎとしたとき、隣接遅延時間差「Ｄ(n+1)−Ｄ(n)」が互いに異なる。
【００３１】
さらに、光符号器１１としての光信号処理装置４０における遅延時間Ｄ(1)〜Ｄ(4)をＤe(1)〜Ｄe(4)とし、光相関器２１としての光信号処理装置４０における遅延時間Ｄ(1)〜Ｄ(4)をＤc(1)〜Ｄc(4)としたときに、下記(2)式で表される関係がある。
【００３２】
【数２】
2007116253.tif 000004
【００３３】
また、好適には、光符号器１１における隣接遅延時間差「Ｄe(n+1)−Ｄe(n)」、および、光相関器２１における隣接遅延時間差「Ｄc(n+1)−Ｄc(n)」それぞれは、単位時間の整数倍である。
【００３４】
例えば、光符号器１１における遅延時間Ｄe(1)〜Ｄe(4)を下記(3)式のように設定する。また、光相関器２１における遅延時間Ｄc(1)〜Ｄc(4)を下記(4)式のように設定する。
【００３５】
【数３】
2007116253.tif 000005
【００３６】
【数４】
2007116253.tif 000006
【００３７】
このとき、光符号器１１における隣接遅延時間差「Ｄe(n+1)−Ｄe(n)」は、下記(5)式で表され、単位時間Ｔの整数倍であって、互いに異なる。また、光相関器２１における隣接遅延時間差「Ｄc(n+1)−Ｄc(n)」は、下記(6)式で表され、単位時間Ｔの整数倍であって、互いに異なる。さらに、下記(7)式で表される関係があり、すなわち、上記(2)式が表される関係が満たされる。
【００３８】
【数５】
2007116253.tif 000007
【００３９】
【数６】
2007116253.tif 000008
【００４０】
【数７】
2007116253.tif 000009
【００４１】
図７は、本実施形態に係る光ＣＤＭＡ方式における光相関器２１の動作について説明する図である。これらの図には、光相関器２１において４本の光導波路４３１〜４３４それぞれを導波して光合波器４２に到達する光パルスのタイミング、および、光相関器２１の光合波器４２から出力される光パルスのタイミング、が示されている。また、ここでは、光符号器１１における相関符号が［１１００］となっている。一方、光相関器２１における相関符号については、［１１００］，［０１１０］，［００１１］それぞれとした。
【００４２】
同図（ａ）に示されるように、光相関器２１における相関符号が光符号器１１における相関符号と同じ［１１００］であるとき、光相関器２１の光合波器４２から出力される光パルスは、光符号器１１において遅延時間Ｄe(1)を与えられ更に光相関器２１において遅延時間Ｄc(1)を与えられた光パルスと、光符号器１１において遅延時間Ｄe(1)を与えられ更に光相関器２１において遅延時間Ｄc(2)を与えられた光パルスと、光符号器１１において遅延時間Ｄe(2)を与えられ更に光相関器２１において遅延時間Ｄc(1)を与えられた光パルスと、光符号器１１において遅延時間Ｄe(2)を与えられ更に光相関器２１において遅延時間Ｄc(2)を与えられた光パルスと、を含む。ここで、上記(2)式が成り立つことにより、これらのうち第１および第４の光パルスは互いに重畳されていて、この重畳された光パルスは他の２つの光パルスよりパワーが大きい。そこで、光受信部２０では、このパワーが大きい光パルスを識別することで、自己が受け取るべき信号のみを取り出すことができる。
【００４３】
一方。同図（ｂ）に示されるように、光相関器２１における相関符号が［０１１０］であるとき、光相関器２１の光合波器４２から出力される光パルスは、光符号器１１において遅延時間Ｄe(1)を与えられ更に光相関器２１において遅延時間Ｄc(2)を与えられた光パルスと、光符号器１１において遅延時間Ｄe(1)を与えられ更に光相関器２１において遅延時間Ｄc(3)を与えられた光パルスと、光符号器１１において遅延時間Ｄe(2)を与えられ更に光相関器２１において遅延時間Ｄc(2)を与えられた光パルスと、光符号器１１において遅延時間Ｄe(2)を与えられ更に光相関器２１において遅延時間Ｄc(3)を与えられた光パルスと、を含む。ここで、光符号器１１における隣接遅延時間差「Ｄe(n+1)−Ｄe(n)」が互いに異なり、また、光相関器２１における隣接遅延時間差「Ｄc(n+1)−Ｄc(n)」が互いに異なることから、４つのパルスが重畳されることはない。
【００４４】
また、同図（ｃ）に示されるように、光相関器２１における相関符号が［００１１］であるとき、光相関器２１の光合波器４２から出力される光パルスは、光符号器１１において遅延時間Ｄe(1)を与えられ更に光相関器２１において遅延時間Ｄc(3)を与えられた光パルスと、光符号器１１において遅延時間Ｄe(1)を与えられ更に光相関器２１において遅延時間Ｄc(4)を与えられた光パルスと、光符号器１１において遅延時間Ｄe(2)を与えられ更に光相関器２１において遅延時間Ｄc(3)を与えられた光パルスと、光符号器１１において遅延時間Ｄe(2)を与えられ更に光相関器２１において遅延時間Ｄc(4)を与えられた光パルスと、を含む。ここで、光符号器１１における隣接遅延時間差「Ｄe(n+1)−Ｄe(n)」が互いに異なり、また、光相関器２１における隣接遅延時間差「Ｄc(n+1)−Ｄc(n)」が互いに異なることから、４つのパルスが重畳されることはない。
【００４５】
また、光相関器２１における相関符号がその他であるときにも、光相関器２１から出力される４つのパルスが重畳されることはない。
【００４６】
このように、本実施形態では、光符号器１１における遅延時間Ｄe(1)〜Ｄe(4)、および、光相関器２１における遅延時間Ｄc(1)〜Ｄc(4)について、上記(2)式が成り立つとともに、光符号器１１における隣接遅延時間差「Ｄe(n+1)−Ｄe(n)」が互いに異なり、また、光相関器２１における隣接遅延時間差「Ｄc(n+1)−Ｄc(n)」が互いに異なることから、光相関器２１における相関符号が光符号器１１における相関符号と同じであるときのみ、光相関器２１から出力される光パルスのうち１つのパルスは、他の２つの光パルスよりパワーが大きい。したがって、光受信部２０では、高速ゲート処理をする必要なく、このパワーが大きい光パルスを識別することができ、自己が受け取るべき信号のみを取り出すことができる。よって、本実施形態によれば、システムの低コスト化や符号の有効利用が可能となる。
【００４７】
また、本実施形態では、好適には、光符号器１１における隣接遅延時間差「Ｄe(n+1)−Ｄe(n)」、および、光相関器２１における隣接遅延時間差「Ｄc(n+1)−Ｄc(n)」それぞれは、単位時間の整数倍である。この場合には、遅延時間を用いる処理を高速にすることができ、また、光符号器１１や光相関器２１を容易に設計することができる。
【００４８】
また、本実施形態では、好適には、光分岐器４１，光合波器４２，Ｎ本の光導波路４３１〜４３Ｎ，光遅延付与部４４および光スイッチ部４５は、共通の基板に形成されて集積化されている。この場合には、光符号器１１や光相関器２１の小型化や低コスト化が可能となり、製造歩留まりの向上や安定動作が可能となる。
【００４９】
本発明は、上記実施形態に限定されるものではなく、種々の変形が可能である。例えば、上記実施形態では相関符号を４ビット符号［１１００］としたが、これに限られるものではなく、４ビット以外のビット数であってもよく、また、符号パターンも任意でよい。
【図面の簡単な説明】
【００５０】
【図１】光ＣＤＭＡによる光通信システム１の概略構成を示す図である。
【図２】光符号器１１または光相関器２１として用いられる光信号処理装置４０の構成図である。
【図３】光符号器１１または光相関器２１として用いられる光信号処理装置４０の集積化の一例を示す図である。
【図４】比較例の光ＣＤＭＡ方式における光符号器１１の動作について説明する図である。
【図５】比較例の光ＣＤＭＡ方式における光相関器２１の動作について説明する図である。
【図６】比較例の光ＣＤＭＡ方式における光相関器２１の他の動作について説明する図である。
【図７】本実施形態に係る光ＣＤＭＡ方式における光相関器２１の動作について説明する図である。
【符号の説明】
【００５１】
１…光通信システム、１０…光送信部、１１…光符号器、１２…信号光源、２０…光受信部、２１…光相関器、２２…受光器、３０…光ファイバ伝送路、４０…光信号処理装置、４１…光分岐器、４２…光合波器、４３１〜４３Ｎ…光導波路、４４…光遅延付与部、４４１〜４４Ｎ…光遅延器、４５…光スイッチ部、４５１〜４５Ｎ…光スイッチ、４６，４７…光導波路、４８…基板。
【図１】
2007116253.tif 000010
【図２】
2007116253.tif 000011
【図３】
2007116253.tif 000012
【図４】
2007116253.tif 000013
【図５】
2007116253.tif 000014
【図６】
2007116253.tif 000015
【図７】
2007116253.tif 000016